(57)【特許請求の範囲】
【請求項１】
コンクリート部材に対して配置された鋼板と、
該鋼板を貫通するとともに前記コンクリート部材に挿入された複数のアンカーボルトとを有し、
前記鋼板と前記コンクリート部材とを接着固定した合成コンクリート構造物の検査方法であって、
複数の前記アンカーボルトのうち少なくとも１本を加振アンカーボルトとするとともに、該加振アンカーボルトと異なる少なくとも１本のアンカーボルトを受信アンカーボルトとし、
該受信アンカーボルトの露出側の先端に受信センサと、
前記加振アンカーボルトの近傍の前記鋼板に加振側受信センサとを備え、
前記加振アンカーボルトの露出側の先端を打撃して弾性波を入力するとともに、前記受信センサ及び前記加振側受信センサで受信情報を受信し、
前記加振側受信センサで受信した前記受信情報に基づいて、前記弾性波の入力タイミングを検出するとともに、
前記受信センサで受信した受信情報を所定の要素について演算した演算結果に基づいて前記コンクリート部材の損傷を検査する
合成コンクリート構造物の検査方法。
【請求項２】
前記加振アンカーボルト及び前記受信アンカーボルトが、
同素材及び同形状で構成された
請求項１に記載の合成コンクリート構造物の検査方法。
【請求項３】
前記所定の要素が、
前記弾性波のスペクトル重心、前記弾性波における所定周波数の伝播速度、前記弾性波の位相速度、前記弾性波の最大振幅値、及び前記弾性波の継続時間のうちいずれかである
請求項１または２に記載の合成コンクリート構造物の検査方法。
【請求項４】
請求項１または２に記載の検査方法で得られた前記受信情報を異なる二種以上の前記要素について演算した演算結果に基づいて、前記合成コンクリート構造物の健全性を評価する
合成コンクリート構造物の健全性評価方法。
【請求項５】
前記各演算結果がともに良好である場合、前記合成コンクリート構造物が健全であると評価し、
前記各演算結果がともに良好でない場合、前記合成コンクリート構造物が健全でないと評価する
請求項４に記載の合成コンクリート構造物の健全性評価方法。
【請求項６】
前記所定の要素が、
前記弾性波のスペクトル重心、前記弾性波における所定周波数の伝播速度、前記弾性波の位相速度、前記弾性波の最大振幅値、及び前記弾性波の継続時間のうちいずれかである
請求項４または５に記載の合成コンクリート構造物の健全性評価方法。
【請求項７】
コンクリート部材に対して配置された鋼板と、該鋼板を貫通するとともに前記コンクリート部材に挿入された複数のアンカーボルトとを有し、前記鋼板と前記コンクリート部材とを接着固定した合成コンクリート構造物の損傷を検査し、その健全性を評価するために検査結果を表示する合成コンクリート構造物の検査結果表示システムであって、
複数の前記アンカーボルトのうち少なくとも１本を加振アンカーボルトとするとともに、該加振アンカーボルトと異なる少なくとも１本のアンカーボルトを受信アンカーボルトとし、
該受信アンカーボルトの露出側の先端に設置され、前記加振アンカーボルトの露出側の先端を打撃して入力された弾性波を受信情報として受信する受信センサと、
前記加振アンカーボルトの近傍の前記鋼板に設定され、前記受信情報を受信する加振側受信センサと、
接続された前記受信センサ及び前記加振側受信センサを制御するとともに、前記受信情報を異なる二種以上の所定の要素に基づいてそれぞれ演算結果を演算する制御演算部と、
前記要素が異なる二種以上の演算結果を表示する表示部とで構成され、
前記制御演算部が、前記加振側受信センサで受信した前記受信情報に基づいて、前記弾性波の入力タイミングを検出する
合成コンクリート構造物の検査結果表示システム。
【請求項８】
前記表示部は、
前記要素が異なる二種以上の演算結果をひとつのグラフに表示するとともに、
前記グラフに健全性に関する閾値が表示される
請求項７に記載の合成コンクリート構造物の検査結果表示システム。
【請求項９】
前記所定の要素が、
前記弾性波のスペクトル重心、前記弾性波における所定周波数の伝播速度、前記弾性波の位相速度、前記弾性波の最大振幅値、及び前記弾性波の継続時間のうちいずれかである
請求項７または８に記載の合成コンクリート構造物の検査結果表示システム。
【発明の詳細な説明】
【技術分野】
【０００１】
この発明は、コンクリート部材に対して配置された鋼板と、鋼板を貫通するとともに前記コンクリートあ部材に挿入された複数のアンカーボルトとを有し、前記鋼板と前記コンクリート部材とを接着固定した合成コンクリート構造物の検査方法、健全性評価方法、及び検査結果表示システムに関する。
【背景技術】
【０００２】
例えば、コンクリート道路橋などに用いられるＲＣ床版や、コンクリート製の橋脚や梁などのコンクリート部材では、走行する車両の繰り返し荷重などによる疲労損傷が従来より問題となっている。特に、設計年次が古いコンクリート部材の部材厚は、現在の設計によるコンクリート部材に比べると薄く、耐荷力・耐久性が低い傾向にあり、疲労損傷が顕著に現れる。
【０００３】
そこで、例えば、特許文献１で提案されたコンクリート構造物の検査方法では、架設された桟橋の上部コンクリートの上に所定高さから重錘を落下させた際に測定した振動データから算出した測定フーリエスペクトルと、健全なコンクリートに重錘を落下させた際の基準フーリエスペクトルとを比較して上部コンクリートの劣化具合を判断できるとされている。
【０００４】
しかしながら、例えば、コンクリート部材が補強用の鋼板で覆われていたり、コンクリート製の橋脚や梁に対して鋼板を巻立てた鋼板巻立て構造物のような合成コンクリート構造物の場合、コンクリート部材の損傷状態を目視で確認することはできず、また補強用の鋼板で覆われているコンクリート部材に重錘を直接落下させることはできないため、コンクリートの振動データを得ることはできず、コンクリート部材の損傷を検査することはできなかった。
【先行技術文献】
【特許文献】
【０００５】
【特許文献１】特開２００８−２７５５２０号公報
【発明の概要】
【発明が解決しようとする課題】
【０００６】
そこで、この発明は、コンクリート部材の少なくとも一面が鋼板で覆われ、コンクリート部材の損傷を目視で確認できない合成コンクリート構造物の損傷を検査することができる検査方法、健全性評価方法、及び検査結果表示システムを提供することを目的とする。
【課題を解決するための手段】
【０００７】
この発明は、コンクリート部材に対して配置された鋼板と、該鋼板を貫通するとともに前記コンクリート部材に挿入された複数のアンカーボルトとを有し、前記鋼板と前記コンクリート部材とを接着固定した合成コンクリート構造物の検査方法であって、複数の前記アンカーボルトのうち少なくとも１本を加振アンカーボルトとするとともに、該加振アンカーボルトと異なる少なくとも１本のアンカーボルトを受信アンカーボルトとし、該受信アンカーボルトの露出側の先端に受信センサと、前記加振アンカーボルトの近傍の前記鋼板に加振側受信センサとを備え、前記加振アンカーボルトの露出側の先端を打撃して弾性波を入力するとともに、前記受信センサ及び前記加振側受信センサで受信情報を受信し、前記加振側受信センサで受信した前記受信情報に基づいて、前記弾性波の入力タイミングを検出するとともに、前記受信センサで受信した受信情報を所定の要素について演算した演算結果に基づいて前記コンクリート部材の損傷を検査することを特徴とする。
【０００８】
上述の合成コンクリート構造物は、コンクリート床版とその片面に配置された鋼板とで構成するとともに接着固定した合成コンクリート床版、既成のコンクリート床版に対して補強鋼板を接着固定して構成する鋼板補強コンクリート床版、コンクリート製の橋脚や梁などに対して鋼板を巻立てた鋼板巻立て構造物などを含み、複数のアンカーボルトは予めコンクリート床版などのコンクリート部材に挿入されたアンカーボルトや、コンクリート構造物に事後的に打ち込み等によって挿入されたアンカーボルトを含むものとする。
【０００９】
また、上述のコンクリート部材の損傷は、疲労や経年劣化等により、コンクリート部材の劣化や内部に生じるクラックなどを含むものとする。  
上述の所定の要素は、弾性波の波形としてコンクリート部材の損傷が現れやすい波形パラメータ、つまりコンクリート部材の損傷との相関関係がある弾性波の要素であればよく、例えば弾性波のスペクトル重心、弾性波における所定周波数の伝播速度、弾性波の位相速度、弾性波の最大振幅値、弾性波の継続時間、弾性波のカウント数（弾性波の周波数）、弾性波のＲＡ値（波の立ち上がり時間／最大振幅値）、あるいは平均周波数（カウント数／継続時間）などとすることができる。
【００１０】
この発明により、合成コンクリート構造物の損傷を検査することができる。  
詳述すると、合成コンクリート構造物における複数の前記アンカーボルトのうち少なくとも１本を加振アンカーボルトとするとともに、該加振アンカーボルトと異なる少なくとも１本のアンカーボルトを受信アンカーボルトとし、該受信アンカーボルトの露出側の先端に受信センサを備え、前記加振アンカーボルトの露出側の先端を打撃して弾性波を入力し、コンクリート部材内部を伝播した弾性波を前記受信センサで受信した受信情報を所定の要素について演算した演算結果に基づいて前記コンクリート部材の損傷を検査するため、鋼板で覆われて損傷状態を目視で確認できないコンクリート部材における内部のクラックなどの損傷を検出することができる。
【００１１】
また、前記加振アンカーボルトの近傍の前記鋼板に加振側受信センサを備え、前記受信センサ及び前記加振側受信センサで前記受信情報を受信することにより、前記受信センサ及び前記加振側受信センサで受信した受信情報を用いることでコンクリート部材内部の損傷をより詳細に検査することができるとともに、加振側受信センサで受信した受信情報に基づいて加振アンカーボルトの近傍の前記鋼板の浮きなどの損傷を検出することができる。
【００１２】
詳述すると、入力された弾性波を受信情報として即座に受信する加振側受信センサと、コンクリート部材内部を伝播した弾性波を受信情報として受信する受信センサとを用いることにより、加振側受信センサで受信した受信情報に基づいて弾性波が入力された入力タイミングを正確に把握することができる。したがって、受信センサで受信した受信情報と、弾性波の入力タイミングとに基づいて正確にコンクリート部材内部を伝播した弾性波の伝播時間を正確に検査することができる。
【００１３】
さらには、仮に、受信センサと加振側受信センサを同じセンサを用いることにより、それぞれで受信した弾性波の受信情報、つまり受信した弾性波の波形は同じ波形（相似形の波形）となるため、受信した弾性波の波形が異なる場合、受信センサ及び加振側受信センサのいずれかの設置不良や故障などを検出することができ、より正確な検査を行うことができる。
【００１４】
この発明の態様として、前記加振アンカーボルト及び前記受信アンカーボルトを、同素材及び同形状で構成することができる。  
この発明により、前記加振アンカーボルトに入力された弾性波がコンクリート部材を伝播し、受信アンカーボルトを介して受信センサで受信情報として受信される際に、アンカーボルトの形状や素材による影響を軽減させて、コンクリート部材内部の損傷を正確に検査することができる。
【００１５】
またこの発明の態様として、前記所定の要素が、前記弾性波のスペクトル重心、前記弾性波における所定周波数の伝播速度、前記弾性波の位相速度、前記弾性波の最大振幅値、及び前記弾性波の継続時間のうちいずれかとすることができる。
【００１６】
この発明により、様々なタイプの損傷を精度よく検出することができる。  
詳述すると、所定の要素として用いる前記弾性波のスペクトル重心、前記弾性波における所定周波数の伝播速度、前記弾性波の位相速度、前記弾性波の最大振幅値、及び前記弾性波の継続時間では顕著に出現するコンクリート部材内部のクラックや品質劣化などの損傷の種類が異なるため、上述の要素のいずれかを用いることで様々なタイプの損傷を精度よく検出することができる。
【００１７】
特に、所定周波数の範囲における周波数成分に重み付けをした平均値をスペクトル重心として算出し、つまり、所定の要素として受信した弾性波のスペクトル重心が、比較的低い結果として現われた場合、加振側アンカーボルトから受信側アンカーボルトの間に空隙や亀裂などの損傷を検出することができる。
【００１８】
また、受信アンカーボルトを介して受信センサで受信した受信情報として、コンクリート部材の内部を伝播した弾性波の波形をウェーブレット解析するとともに、使用する受信センサに応じ、健全なコンクリート部材における卓越周波数に基づく周波数帯の時刻歴波形において最も卓越するまでの時間（以下において卓越伝播時間という）及び、伝播した距離（アンカーボルト間の距離）に基づき速度（以下において卓越伝播速度という）を算出し、卓越伝播速度が比較的低いなどの低い結果である場合、加振側アンカーボルトから受信側アンカーボルトの間のコンクリートが劣化しているなどの損傷を検出することができる。  
このように、要素の性状によって精度よく検出できる損傷のタイプが異なる場合であっても精度よくコンクリート部材内部の損傷を検出することができる。
【００１９】
またこの発明は、上述の検査方法で得られた前記受信情報を異なる二種以上の前記要素について演算した演算結果に基づいて、前記合成コンクリート構造物の健全性を評価する合成コンクリート構造物の健全性評価方法であることを特徴とする。
【００２０】
この発明により、鋼板に覆われてコンクリート部材の損傷状態が目視で確認できない合成コンクリート構造物の健全性を評価することができる。  
詳述すると、異なる二種以上の前記要素について前記受信情報を演算した演算結果に基づいて合成コンクリート構造物の健全性を評価するため、損傷パターンによる検出精度の低下を防止し、よりよい精度での損傷状態が目視で確認できない合成コンクリート構造物の健全性を評価することができる。
【００２１】
なお、上記健全性の評価は、コンクリート部材が健全であることの評価、逆に健全でないこと、つまりコンクリート部材が劣化・損傷していることの評価、あるいはそれらの程度を評価することを含むものとする。
【００２２】
またこの発明の態様として、前記各演算結果がともに良好である場合、前記合成コンクリート構造物が健全であると評価し、前記各演算結果がともに良好でない場合、前記合成コンクリート構造物が健全でないと評価することができる。
【００２３】
上述の「良好である場合」あるいは「良好でない場合」の目安として、閾値を用いて良好か否かを判定してもよいし、あるいは明確な閾値を設けることなく、例えばグラフ表示した場合において大まかな領域に対する属否によって良好か否かを判定してもよい。
【００２４】
なお、良好か否かを判定するための閾値としては、値、数式、あるいはグラフ表示した場合における領域などで設定することができ、実証実験の結果に基づいて設定される閾値、シミュレーション結果に基づく閾値、あるいは実績値に基づく値など適宜の閾値で設定されるとともに、例えば実績値の蓄積や、用途や使用などによって適切に変化する閾値とすることができる。
【００２５】
さらに、上述の各演算結果がともに良好である場合は各演算結果がともに評価基準の閾値を満足する場合と換言でき、前記各演算結果がともに良好でない場合は前記各演算結果がともに評価基準の閾値を満足しない場合に換言してもよい。
【００２６】
この発明により、合成コンクリート構造物の損傷状態をさらに精度よく適切に評価することができる。  
詳述すると、一種の要素の演算結果に基づいて評価する場合、損傷のタイプなどの諸条件によってはコンクリート部材の健全性を十分に評価できないおそれがあるが、受信情報について異なる要素に基づいて評価するため、鋼板に覆われてコンクリート部材の損傷状態が目視で確認できない合成コンクリート構造物の健全性をより適切かつ高精度に評価することができる。したがって、コンクリート部材の損傷状態によって要する補修を、必要最小限にとどめることができる。
【００２７】
またこの発明は、コンクリート部材に対して配置された鋼板と、該鋼板を貫通するとともに前記コンクリート部材に挿入された複数のアンカーボルトとを有し、前記鋼板と前記コンクリート部材とを接着固定した合成コンクリート構造物の損傷を検査し、その健全性を評価するために検査結果を表示する合成コンクリート構造物の検査結果表示システムであって、複数の前記アンカーボルトのうち少なくとも１本を加振アンカーボルトとするとともに、該加振アンカーボルトと異なる少なくとも１本のアンカーボルトを受信アンカーボルトとし、該受信アンカーボルトの露出側の先端に設置され、前記加振アンカーボルトの露出側の先端を打撃して入力された弾性波を受信情報として受信する受信センサと、前記加振アンカーボルトの近傍の前記鋼板に設定され、前記受信情報を受信する加振側受信センサと、接続された前記受信センサ及び前記加振側受信センサを制御するとともに、前記受信情報を異なる二種以上の所定の要素に基づいてそれぞれ演算結果を演算する制御演算部と、前記要素が異なる二種以上の演算結果を表示する表示部とで構成され、前記制御演算部が、前記加振側受信センサで受信した前記受信情報に基づいて、前記弾性波の入力タイミングを検出することを特徴とする。
【００２８】
この発明により、鋼板に覆われてコンクリート部材の損傷状態が目視で確認できない合成コンクリート構造物の健全性を的確に評価するための演算結果を表示部に表示することができる。
【００２９】
またこの発明の態様として、前記表示部は、前記要素が異なる二種以上の演算結果をひとつのグラフに表示するとともに、前記グラフに健全性に関する閾値を表示することができる。
【００３０】
この発明により、鋼板に覆われてコンクリート部材の損傷状態が目視で確認できない合成コンクリート構造物の健全性を評価するにあたって、演算結果の評価基準となる閾値を表示でき、より簡便且つ正確に合成コンクリート構造物の健全性を的確に評価することができる。
【発明の効果】
【００３１】
この発明により、コンクリート部材の少なくとも一面が鋼板で覆われ、コンクリート部材の損傷を目視で確認できない合成コンクリート構造物の損傷を検査することができる検査方法、健全性評価方法、及び検査結果表示システムを提供することができる。
【図面の簡単な説明】
【００３２】
【図１】損傷検査状況の概略図。
【図２】構造物評価システムの構成図。
【図３】合成床版橋の底面側からの斜視図。
【図４】スペクトル重心の概要グラフ。
【図５】弾性波形の周波数分布の説明グラフ。
【図６】ウェーブレット解析結果の説明図。
【図７】合成床版橋の損傷評価グラフ。
【図８】補強コンクリート橋脚の斜視図。
【発明を実施するための形態】
【００３３】
この発明の一実施形態を以下図面に基づいて詳述する。  
図１は損傷検査状況の概略図を示し、図２は構造物評価システム１の構成図を示し、図３は合成床版橋１００の底面側からの斜視図を示し、図４はスペクトル重心の概要グラフを示し、図５は弾性波形の周波数分布の説明グラフを示し、図６はウェーブレット解析結果の説明図を示し、図７は合成床版橋１００におけるコンクリート床版１０２について表示部１４に表示する演算結果表示グラフ１５を図示している。
【００３４】
コンクリート部材（コンクリート床版１０２）に対して配置された鋼板（補強鋼板１０３）と、鋼板（補強鋼板１０３）を貫通するとともにコンクリート部材（コンクリート床版１０２）に挿入された複数のアンカーボルト（１１０）とを有し、鋼板（補強鋼板１０３）とコンクリート部材（コンクリート床版１０２）とを接着固定した合成コンクリート構造物（合成床版橋１００）におけるコンクリート部材（コンクリート床版１０２）の損傷を検査し、健全性を評価する構造物評価システム１は、図２に示すように、損傷検査装置１０と、弾性波を受信情報として受信するセンサ２０とで構成している。
【００３５】
損傷検査装置１０は、ＣＰＵで構成する制御・演算装置１１、ＲＯＭやＲＡＭで構成する記憶部１２、筐体に備えられた操作スイッチ等で構成する操作部１３及び、筐体に配置される液晶等の表示部１４とで構成している。なお、記憶部１２、操作部１３及び表示部１４は制御・演算装置１１に接続され、制御・演算装置１１により制御されている。
【００３６】
制御・演算装置１１は、記憶部１２に記憶した各種制御プログラムや演算プログラムと協働して、制御・演算装置１１に接続された各機器を制御したり、後述するセンサ２０で受信した受信情報を演算し、演算結果を評価できるように閾値データとともに演算結果表示グラフ１５（図７参照）を表示することができる。  
表示部１４は、制御・演算装置１１によって演算された演算結果や閾値データなどをグラフ表示したりする液晶モニターである。
【００３７】
記憶部１２には、上述の各種プログラム、計測した計測データ、あるいは演算結果を評価するための閾値等を記憶する。  
記憶部１２に記憶する閾値データとしては、要素ごとに損傷状態を評価する閾値データであってもよく、損傷の可能性が低い健全閾値データと損傷の可能性が高い損傷閾値データとを設けてもよい。この場合、健全閾値データと損傷閾値データとの間の範囲を損傷の可能性があるとして判断すればよい。なお、本実施形態においては、要素ごとに閾値データ１６（１６ａ，１６ｂ）を設けている。
【００３８】
また、記憶部１２に記憶する演算プログラムとしては、例えば、受信情報に基づいてスペクトル重心を算出するスペクトル重心算出プログラム、受信情報に基づく波形をウェーブレット解析するウェーブレット解析プログラム、設定した周波数帯の時刻歴波形を抽出する時刻歴波形抽出プログラム、時刻歴波形における卓越伝播時間を抽出するとともに、抽出された卓越伝播時間に基づいて卓越伝播速度を算出する卓越伝播速度算出プログラム及び、算出された演算結果を閾値データとともに演算結果表示グラフ１５として表示部１４に表示する演算結果表示プログラムなどがある。
【００３９】
センサ２０は、損傷検査装置１０に接続されることにより、制御・演算装置１１の制御によって弾性波振動を受信情報として受信し、制御・演算装置１１に送信することができる。なお、センサ２０は、後述する加振側アンカーボルト１１１の近傍に配置される加振側センサ２１と、受信側アンカーボルト１１２にセットされる受信側センサ２２とがあり、加振側センサ２１及び受信側センサ２２は適宜の数設けることができる。
【００４０】
このような構造物評価システム１を用いて、内部損傷を検出するとともに健全性を評価する評価対象の一例である合成床版橋１００について、図３とともに説明する。  
合成床版橋１００は、舗装１０１、コンクリート床版１０２、補強鋼板１０３及び補強桁１０４とで構成し、上からこの順で構成している。
【００４１】
舗装１０１は、コンクリート床版１０２の上面側を覆うように適宜の厚みで構成されている。  
コンクリート床版１０２は、適宜の厚み及び強度を有する鉄筋コンクリート製の床版であり、橋軸直角方向Ｗに所定間隔を隔てて、橋軸方向Ｌの梁部１０２ａが形成されている。
【００４２】
補強鋼板１０３は、適宜の厚みの鋼板であり、コンクリート床版１０２の底面側を覆うように接着固定されている。なお、図１では、コンクリート床版１０２と補強鋼板１０３とを接着固定する接着層１０５の理解を容易にするため厚みを持って図示しているが、接着固定できれば接着層１０５は厚みがなくてもよい。  
補強桁１０４は、コンクリート床版１０２に形成された梁部１０２ａに設けられ、橋軸方向ＬのＩ型鋼で構成されている。
【００４３】
なお、コンクリート床版１０２の底面に接着層１０５によって接着固定された補強鋼板１０３は、橋軸方向Ｌ及び橋軸直角方向Ｗに所定間隔を隔てて、複数のアンカーボルト１１０が設けられている。  
アンカーボルト１１０は、軸部１１０ａと、軸部１１０ａと螺合するナット１１０ｂと、螺合状態におけるナット１１０ｂと補強鋼板１０３との間に介在するワッシャ１１０ｃとで構成されている。
【００４４】
軸部１１０ａは補強鋼板１０３を貫通するとともに、コンクリート床版１０２の内部まで所定長さ挿入されており、ボルト軸部の周辺に注入されたグラウトＧにより、軸部１１０ａはコンクリート床版１０２に固定されている。
【００４５】
このようにコンクリート床版１０２に挿入され、グラウトＧで固定された軸部１１０ａが補強鋼板１０３を貫通し、ナット１１０ｂを螺合することで、補強鋼板１０３をコンクリート床版１０２に仮固定することができる。そして、アンカーボルト１１０による仮固定状態においてコンクリート床版１０２と補強鋼板１０３とは接着固定され、構造的に一体化となっている。
【００４６】
なお、合成床版橋１００として、既設のコンクリート床版１０２に対して補強鋼板１０３及び補強桁１０４を補強のために取り付けて構成した合成床版橋１００であっても、コンクリート床版１０２に対して補強鋼板１０３及び補強桁１０４が設けられた新設の合成床版橋１００であってもよく、さらには補強桁１０４がなくてもよいし、接着層１０５によって接着固定されたコンクリート床版１０２と補強鋼板１０３とに対して、後述する損傷検査及び健全性の評価のためにアンカーボルト１１０を設けてもよい。
【００４７】
このような合成床版橋１００は、舗装１０１上を橋軸方向Ｌに走行する車両による振動が作用して疲労損傷し、接着層１０５によって接着固定された補強鋼板１０３がコンクリート床版１０２からはがれて浮きが生じたり、コンクリート床版１０２の内部にクラックなどが生じることがある。
【００４８】
しかし、上面に舗装１０１が敷設されるとともに底面側が補強鋼板１０３で覆われてコンクリート床版１０２が目視できない合成床版橋１００では、その損傷状態を確認することができず、これまでは補強鋼板１０３を底面側からハンマーで叩き、その際の打音で補強鋼板１０３の浮きを検査する、いわゆる打音検査を行っていた。しかしながら、打音検査では、上述したように、コンクリート床版１０２に対する補強鋼板１０３の浮きしか検査できず、コンクリート床版１０２の内部クラックなどを検査することはできなかった。
【００４９】
そこで、上述の構造物評価システム１を用いて合成床版橋１００におけるコンクリート床版１０２の損傷を検査するとともに、その健全性を評価する評価方法について、以下で詳細に説明する。  
合成床版橋１００におけるコンクリート床版１０２の損傷を検査するためには、まず、合成床版橋１００に複数の検査エリアを設定する。そして、検査対象となる検査エリアにおいて複数あるアンカーボルト１１０のうち、中心側のアンカーボルト１１０を加振側アンカーボルト１１１に設定するとともに、加振側アンカーボルト１１１から適宜の距離を隔てたアンカーボルト１１０を受信側アンカーボルト１１２に設定する。
【００５０】
なお、アンカーボルト１１０の中から選択されて設定される加振側アンカーボルト１１１と受信側アンカーボルト１１２とはいうまでもなく、同素材且つ同形状で構成されている。  
また、加振側アンカーボルト１１１と受信側アンカーボルト１１２とは、およそ適宜の距離を隔てたアンカーボルト１１０を設定するとよい。本実施形態においてその距離を１ｍ以下としている。そのため、検査エリアはおよそ半径１ｍの円状あるいは２ｍ×２ｍの正方形状となる。
【００５１】
このようにして設定された加振側アンカーボルト１１１の近傍の補強鋼板１０３に加振側センサ２１をセットするとともに、受信側アンカーボルト１１２のボルト頭部に受信側センサ２２をセットする。
【００５２】
この状態で、加振側アンカーボルト１１１の先端部を鋼球Ｈで打撃し、弾性波の入力を行い、加振側アンカーボルト１１１の近傍の補強鋼板１０３にセットした加振側センサ２１及び受信側アンカーボルト１１２にセットした受信側センサ２２で、伝播した弾性波の振動を受信情報として受信する。
【００５３】
詳述すると、加振側センサ２１及び受信側センサ２２は同じセンサで構成しているが、加振側アンカーボルト１１１の近傍の補強鋼板１０３にセットした加振側センサ２１は補強鋼板１０３を介して入力された弾性波を受信するが、受信側アンカーボルト１１２にセットした受信側センサ２２はコンクリート床版１０２の内部を伝播してくる弾性波の振動を受信することとなる。
【００５４】
センサ２０（２１，２２）で受信した受信情報は損傷検査装置１０に送信され、損傷検査装置１０において次に説明する演算処理を行う。  
損傷検査装置１０では、加振側センサ２１及び受信側センサ２２で受信した受信情報に対して、所定の要素（波形パラメータ）について演算し、その演算結果に基づいて合成床版橋１００の損傷を検出する。なお、本実施形態においては、所定の要素（波形パラメータ）としてスペクトル重心及び伝播速度を演算し、合成床版橋１００の損傷を検出する場合について説明する。
【００５５】
具体的には、制御・演算装置１１は、スペクトル重心算出プログラムを実行し、図４に示すような、加振側センサ２１及び受信側センサ２２で受信した受信情報である弾性波について、下記数式１により、１ｋＨｚから１００ｋＨｚの間の周波数成分に重み付けをした平均値をスペクトル重心として算出する。
【００５６】
【数１】
0006684575.tif 000002
コンクリート床版１０２に空隙や亀裂などの損傷がある場合、図５に示すように、周波数分布は高周波側から低周波側に大きく移行するため、スペクトル重心も低下する傾向を示す。なお、図５（ａ）は健全なコンクリート床版における周波数分布を示し、図５（ｂ）は劣化・損傷があるコンクリート床版１０２の場合の周波数分布を示している。
【００５７】
したがって、上述の数式１で算出したスペクトル重心が、比較的低い演算結果である場合、つまり後述するスペクトル閾値データ１６ａより低い結果である場合、コンクリート床版１０２は劣化・損傷の可能性あり、つまりコンクリート床版１０２内部の損傷を検出することができる。
【００５８】
換言すると、検査エリアにおいて、受信側センサ２２で受信した受信情報に基づく検出結果からはコンクリート床版１０２における加振側アンカーボルト１１１と受信側アンカーボルト１１２の間において損傷している可能性があると判定し、加振側センサ２１で受信した受信情報に基づく検出結果からはコンクリート床版１０２に対する補強鋼板１０３の浮きが生じている可能性がある、つまり補強鋼板１０３の浮きを検出することができる。
【００５９】
次に、伝播速度による損傷検出について説明する。  
まず、健全なコンクリート床版における弾性波を受信した際における卓越周波数を、使用するセンサ２０に応じて設定卓越周波数として設定する。
【００６０】
そして、上述したように、加振側アンカーボルト１１１を鋼球Ｈで打撃して弾性波を入力し、補強鋼板１０３を介した弾性波を加振側センサ２１で受信した受信情報の波形、及び伝播した弾性波を受信側センサ２２で受信した受信情報の波形について、制御・演算装置１１はウェーブレット解析プログラムを実行してウェーブレット解析を行う。  
そのうえで、制御・演算装置１１は時刻歴波形抽出プログラムを実行し、設定した設定卓越周波数帯の時刻歴波形を抽出する。
【００６１】
さらに、制御・演算装置１１は卓越伝播速度算出プログラムを実行し、抽出した時刻歴波形における卓越伝播時間を抽出するとともに、抽出された卓越伝播時間と、加振側アンカーボルト１１１と受信側アンカーボルト１１２との距離（ボルト間距離）に基づいて卓越伝播速度を算出する（数式２参照）。
【００６２】
このとき、制御・演算装置１１は、加振側アンカーボルト１１１の近傍の補強鋼板１０３に配置した加振側センサ２１で受信した受信情報の波形に基づいて、鋼球Ｈを打撃して入力された弾性波の入力タイミングを正確に検出する。
【００６３】
【数２】
0006684575.tif 000003
コンクリート床版１０２において加振側アンカーボルト１１１から受信側アンカーボルト１１２の間に空隙や亀裂などの損傷がある場合、図６に示すように、卓越伝播速度が低下する傾向を示す。なお、図６（ａ）はボルト間距離が１２００ｍｍとした健全なコンクリート床版におけるウェーブレット解析結果を示し、図６（ｂ）は劣化・損傷があるコンクリート床版１０２の場合のウェーブレット解析結果を示している。
【００６４】
したがって、上述の数式２で算出した卓越伝播速度が、比較的低い演算結果である場合、換言すると後述する速度閾値データ１６ｂより低い結果である場合、コンクリート床版１０２は劣化・損傷の可能性あり、つまりコンクリート床版１０２内部の損傷を検出することができる。
【００６５】
続いて、このような検査方法による合成床版橋１００の健全性評価方法について説明する。  
制御・演算装置１１は演算結果表示プログラムを実行し、スペクトル重心算出プログラムと卓越伝播速度算出プログラムで算出された演算結果を閾値データ１６（１６ａ，１６ｂ）とともに演算結果表示グラフ１５（図７参照）として、表示部１４に表示する。
【００６６】
演算結果表示グラフ１５は、横軸が速度（Ｖｅｌｏｃｉｔｙ）、縦軸が周波数（Ｆｒｅｑｕｅｎｃｙ）であり、横軸に対して速度閾値データ１６ｂを設定するとともに、縦軸に対してスペクトル閾値データ１６ａを設定している。
【００６７】
なお、閾値データ１６（１６ａ，１６ｂ）は、本実施形態において、健全なコンクリート床版における演算結果や損傷したコンクリート床版における演算結果の実績に基づいて設定しているが、シミュレーションの結果に基づいて設定してもよい。
【００６８】
このように、スペクトル閾値データ１６ａ及び速度閾値データ１６ｂが設定された演算結果表示グラフ１５において、スペクトル閾値データ１６ａ及び速度閾値データ１６ｂより低い左下の領域は損傷・劣化が進行していると評価される損傷劣化領域１５ａとなり、スペクトル閾値データ１６ａ及び速度閾値データ１６ｂより高い右上の領域は健全であると評価される健全領域１５ｂとなる。
【００６９】
したがって、上述の演算結果を演算結果表示グラフ１５にプロットすることによって、検査エリアにおける加振側アンカーボルト１１１と受信側アンカーボルト１１２との間のコンクリート床版１０２の健全性を評価することができる。
【００７０】
具体的には、制御・演算装置１１は、スペクトル重心算出プログラムによって算出されたスペクトル重心の演算結果がスペクトル閾値データ１６ａより高く、かつ卓越伝播速度算出プログラムによって算出された卓越伝播速度が速度閾値データ１６ｂより速い場合、演算結果は演算結果表示グラフ１５における健全領域１５ｂにプロットされるため、コンクリート床版１０２に損傷はない、つまりコンクリート床版１０２は健全であると評価する。
【００７１】
逆に、スペクトル重心算出プログラムによって算出されたスペクトル重心がスペクトル閾値データ１６ａより低く、かつ卓越伝播速度算出プログラムによって算出された卓越伝播速度が速度閾値データ１６ｂより遅い場合、演算結果は演算結果表示グラフ１５における損傷劣化領域１５ａにプロットされるため、コンクリート床版１０２における加振側アンカーボルト１１１と受信側アンカーボルト１１２との間の劣化・損傷の可能性は大である、つまり劣化・損傷が進行していると評価する。
【００７２】
なお、スペクトル重心算出プログラムによって算出されたスペクトル重心がスペクトル閾値データ１６ａより低く、卓越伝播速度算出プログラムによって算出された卓越伝播速度が速度閾値データ１６ｂより早い場合、あるいは、スペクトル重心算出プログラムによって算出されたスペクトル重心がスペクトル閾値データ１６ａより高く、卓越伝播速度算出プログラムによって算出された卓越伝播速度が速度閾値データ１６ｂより遅い場合は、演算結果表示グラフ１５における左上もしくは右下の領域にプロットされ、コンクリート床版１０２における加振側アンカーボルト１１１と受信側アンカーボルト１１２との間の劣化・損傷の可能性は少なくともある、つまり劣化・損傷している可能性があると評価する。  
このようにして、同じ検査エリアにおける他の受信側センサ２２の受信情報の演算結果や他の検査エリアの演算結果も演算結果表示グラフ１５にプロットし、その結果を記憶部１２に記憶する。
【００７３】
そして、この損傷劣化領域１５ａにおいて、左下にプロットされるものほどコンクリート床版１０２の損傷が著しいと判断できるため、検査対象となる検査エリアにおけるコンクリート床版１０２の劣化・損傷状態を把握し、当該検査エリアにおける補修・補強対策の要否を検討することができる。
【００７４】
したがって、合成床版橋１００に対する補修・補強対策を実施するにあたっての優先順位の指標に成り得る。また、計測環境に応じた閾値の正確性を向上させることにより、適切な損傷評価を行うことが可能となり、必要最小限の床版補修にとどめることができる。
【００７５】
このように、コンクリート床版１０２に対して配置された補強鋼板１０３と、補強鋼板１０３を貫通するとともにコンクリート床版１０２に挿入された複数のアンカーボルト１１０とを有し、補強鋼板１０３とコンクリート床版１０２とを接着固定した合成床版橋１００におけるコンクリート床版１０２の内部損傷を検査する検査方法として、複数のアンカーボルト１１０のうち少なくとも１本を加振側アンカーボルト１１１とするとともに、加振側アンカーボルト１１１と異なる少なくとも１本のアンカーボルト１１０を受信側アンカーボルト１１２とし、受信側アンカーボルト１１２のボルト頭部に受信側センサ２２を備え、加振側アンカーボルト１１１のボルト頭部を鋼球Ｈで打撃して弾性波を入力し、加振側センサ２１及び受信側センサ２２で受信した受信情報の要素に基づいてコンクリート床版１０２の損傷を検査することにより、コンクリート床版１０２に対する補強鋼板１０３の浮きだけでなく、補強鋼板１０３で覆われて損傷状態を目視で確認できないコンクリート床版１０２における内部のクラックなどの損傷を検出することができる。
【００７６】
加振側アンカーボルト１１１及び受信側アンカーボルト１１２を、同素材及び同形状で構成することにより、加振側アンカーボルト１１１に入力された弾性波がコンクリート床版１０２の内部を伝播し、受信側アンカーボルト１１２を介して受信側センサ２２で受信情報として受信する際に、アンカーボルト１１０の形状や素材による影響を軽減させて、コンクリート部材内部の損傷を正確に検出することができる。
【００７７】
また、受信情報に基づき弾性波のスペクトル重心、及び弾性波における所定周波数の卓越伝播速度を算出して損傷の検出に用いることにより、算出されたスペクトル重心、及び卓越伝播速度に基づいてコンクリート床版１０２の損傷を検出することができる。
【００７８】
詳述すると、受信側センサ２２で受信した受信情報について所定周波数の範囲における周波数成分に重み付けをした平均値をスペクトル重心として算出し、健全なコンクリート床版のスペクトル閾値データ１６ａよりスペクトル重心が低い場合、加振側アンカーボルト１１１から受信側アンカーボルト１１２の間において空隙や亀裂などの損傷を検出することができる。
【００７９】
また、加振側センサ２１で受信した受信情報に基づいて算出したスペクトル重心がスペクトル閾値データ１６ａより低い場合、コンクリート床版１０２に対する補強鋼板１０３の浮きを検出することができる。
【００８０】
また、受信側アンカーボルト１１２を介して受信側センサ２２で受信した伝播してくる弾性波（受信情報）の波形をウェーブレット解析するとともに、使用する受信側センサ２２に応じて設定された設定卓越周波数帯の時刻歴波形において、卓越伝播時間及びボルト間距離に基づき卓越伝播速度を算出し、健全なコンクリート床版の速度閾値データ１６ｂより卓越伝播速度が低下する場合、加振側アンカーボルト１１１から受信側アンカーボルト１１２の間において空隙や亀裂などの損傷を検出することができる。
【００８１】
また、上述の検査方法で得た検査結果に基づいて、合成床版橋１００の健全性を評価する評価方法では、算出したスペクトル重心がスペクトル閾値データ１６ａより高く、算出した卓越伝播速度が速度閾値データ１６ｂより速い場合に合成床版橋１００が健全であると評価できるため、合成床版橋１００におけるコンクリート床版１０２の損傷状態を適切に評価することができる。
【００８２】
詳述すると、諸条件によっては、演算結果として算出されたスペクトル重心及び卓越伝播速度のいずれかのみでは十分にコンクリート床版１０２の健全性を十分に評価できないおそれがあるが、受信側アンカーボルト１１２を介して受信側センサ２２で受信した受信情報として伝播してくる弾性波について、スペクトル重心及び伝播速度という種類の異なる要素（波形パラメータ）に基づいて評価するため、補強鋼板１０３に覆われてコンクリート床版１０２の損傷状態が目視で確認できない合成床版橋１００の健全性を適切に評価することができる。したがって、コンクリート床版１０２の損傷状態によって要する補修を、必要最小限にとどめることができる。
【００８３】
この発明の構成と、実施形態との対応において、この発明のコンクリート部材はコンクリート床版１０２に対応し、
以下同様に、
鋼板は補強鋼板１０３に対応し、
受信センサは受信側センサ２２に対応し、
合成コンクリート構造物は合成床版橋１００に対応し、
加振側受信センサは加振側センサ２１に対応し、
制御演算部は制御・演算装置１１に対応し、
閾値は閾値データ１６に対応し、
グラフは演算結果表示グラフ１５に対応し、
検査結果表示システムは構造物評価システム１に対応するも、  
この発明は、上述の実施形態の構成のみに限定されるものではなく、請求項に示される技術思想に基づいて応用することができ、多くの実施の形態を得ることができる。
【００８４】
例えば、上述の説明では、構造物評価システム１を用いた損傷検査及び健全性の評価の対象を合成床版橋１００として説明したが、図８に示すように、コンクリート製の橋脚２１０に対して補強鋼板２２０を巻き立て、補強鋼板２２０を貫通するとともに橋脚２１０に挿入されたアンカーボルト１１０を有する補強コンクリート橋脚２００を対象とし、構造物評価システム１を用いて損傷検査及び健全性の評価を行ってもよい。なお、図８において補強コンクリート橋脚２００の手前側の一部を透過状態で図示している。
【００８５】
この場合の検査方法及び構造物評価システム１を用いた評価方法は、合成床版橋１００を対象とした上述の説明と同じであるため、その説明は省略する。なお、コンクリート製の橋脚２１０のみならず梁を補強鋼板で補強した補強コンクリート梁を対象とし、構造物評価システム１を用いて損傷検査及び健全性の評価を行ってもよい。
【００８６】
また、この場合、加振側アンカーボルト１１１と受信側アンカーボルト１１２とを異なる側面に設けることによって、加振側アンカーボルト１１１と受信側アンカーボルト１１２とで受信情報として受信する弾性波を、反射波や横波など異なる複数の波として受信することができ、より高精度に橋脚２１０の劣化・損傷を検出でき、的確な評価をすることができる。
【００８７】
また、上述の合成床版橋１００や補強コンクリート橋脚２００などにおいては、予め設置されているアンカーボルト１１０を用いたが、コンクリート床版などに鋼板が接着層１０５によって接着固定された構造物に対して、損傷検査及び健全性の評価のためにアンカーボルト１１０を設けて損傷検査及び健全性の評価を行ってもよい。
【００８８】
また、加振側アンカーボルト１１１とは異なる素材や異なる形状で、弾性波が受信しやすい受信側アンカーボルト１１２を構成してもよい。  
さらに、加振側センサ２１とは異なり、コンクリート部材内部を伝播する弾性波が受信しやすいセンサで受信側センサ２２を構成してもよい。
【００８９】
さらにまた、上述の説明では、受信情報として受信した弾性波について異なる要素としてスペクトル重心及び卓越伝播速度の二種類を演算結果として算出したが、スペクトル重心及び卓越伝播速度に加え、弾性波の位相速度、弾性波の最大振幅値、弾性波の継続時間、弾性波のカウント数（弾性波の周波数）、弾性波のＲＡ値（波の立ち上がり時間／最大振幅値）、あるいは平均周波数（カウント数／継続時間）の中から二種類を組み合わせて演算結果を算出して、劣化・損傷の検出及び健全性の評価を行ってもよい。
【００９０】
なお、受信情報を演算するための要素としては、上述のスペクトル重心及び卓越伝播速度あるいは弾性波の位相速度や弾性波の最大振幅値など以外であっても、弾性波の波形としてコンクリート部材の損傷が現れやすい波形パラメータ、つまりコンクリート部材の損傷との相関関係がある弾性波の要素であればよい。
【００９１】
さらには、二種類の要素の組み合わせだけでなく、上述の複数の要素の中から三種類の要素を組み合わせて演算結果を算出してもよい。この場合、表示部１４に表示する演算結果表示グラフ１５は、縦軸及び横軸で構成する二次元グラフではなく、高さ方向の軸を加えた三次元グラフとして表示することとなり、より高精度に劣化・損傷の検出及び健全性の評価を行うことができる。
【００９２】
また、上述の演算結果表示グラフ１５では、横軸に平行なスペクトル閾値データ１６ａと縦軸に平行な速度閾値データ１６ｂとを設定し、スペクトル閾値データ１６ａと速度閾値データ１６ｂで区切られた右上の四角状の領域を健全領域１５ｂ、スペクトル閾値データ１６ａと速度閾値データ１６ｂで区切られた左下の四角状の領域を損傷劣化領域１５ａとしたが、右下がり（左上がり）の斜めの閾値データを２本表示し、１本の斜めの閾値データで区切られた右上の三角状の領域を健全領域１５ｂ、もう１本の斜めの閾値データで区切られた左下の三角状の領域を損傷劣化領域１５ａとして評価してもよい。
【００９３】
さらには、閾値データ１６は、上述のように数式で設定するだけでなく、値そのものを閾値としてもよく、さらには、明確な閾値を設けることなく、演算結果表示グラフ１５における大まかな領域などで設定してもよい。また、その数値根拠としては、実証実験の結果に基づいて設定される閾値、シミュレーション結果に基づく閾値、あるいは実績値に基づく値など適宜の閾値で設定されるとともに、例えば実績値の蓄積や、用途や使用などによって適切に変化する閾値としてもよい。
【符号の説明】
【００９４】
１…構造物評価システム
１１…制御・演算装置
１４…表示部
１５…演算結果表示グラフ
１６…閾値データ
２１…加振側センサ
２２…受信側センサ
１００…合成床版橋
１０２…コンクリート床版
１０３…補強鋼板
１１０…アンカーボルト
１１１…加振側アンカーボルト
１１２…受信側アンカーボルト
【図１】
0006684575.tif 000004
【図２】
0006684575.tif 000005
【図３】
0006684575.tif 000006
【図４】
0006684575.tif 000007
【図５】
0006684575.tif 000008
【図６】
0006684575.tif 000009
【図７】
0006684575.tif 000010
【図８】
0006684575.tif 000011